(57)【特許請求の範囲】
【請求項１】
データ蓄積用の半導体メモリを内蔵し、契約情報が記録されたＩＣカードと；
前記ＩＣカードが装着される第１のカード装着部と、前記第１のカード装着部に装着されたＩＣカードに記録されている契約情報に基づいて、受信されたデジタル放送データを再生する再生手段と、取得要求に基づいて、前記再生手段により受信された前記デジタル放送データに含まれる番組選択用データを取得し、前記第１のカード装着部に装着されたＩＣカードの半導体メモリに記録するインターフェース手段とを備えた放送受信機と；
前記ＩＣカードが装着される第２のカード装着部と、前記第２のカード装着部に装着されたＩＣカードの半導体メモリに記録されている前記番組選択用データに基づいて番組表を作成し表示する表示部と、前記表示部に表示された番組表に基づいて選択された番組に対応する番組選択情報を前記放送受信機に送出するための操作部とを備えたリモートコントローラとを具備することを特徴とするデジタル放送受信装置。
【請求項２】
前記インターフェース手段は、取得要求に基づいて、前記放送受信機のセット調整データ、出荷調整データ及びユーザー調整データのいずれかを取得して、前記第１のカード装着部に装着されたＩＣカードの半導体メモリに記録することを特徴とする請求項１記載のデジタル放送受信装置。
【請求項３】
前記インターフェース手段は、取得要求に基づいて、前記再生手段により受信された前記デジタル放送データに含まれるデータ放送受信データを取得して、前記第１のカード装着部に装着されたＩＣカードの半導体メモリに記録することを特徴とする請求項１記載のデジタル放送受信装置。
【請求項４】
契約情報が記録された第１のＩＣカードと；
データ蓄積用の半導体メモリを内蔵した第２のＩＣカードと；
前記第１及び第２のＩＣカードが選択的に装着される第１のカード装着部と、前記第１のカード装着部に装着された第１のＩＣカードに記録されている契約情報に基づいて、受信されたデジタル放送データを再生する再生手段と、取得要求に基づいて、前記再生手段により受信された前記デジタル放送データに含まれる番組選択用データを取得し、前記第１のカード装着部に装着された第２のＩＣカードの半導体メモリに記録するインターフェース手段とを備えた放送受信機と；
前記第２のＩＣカードが装着される第２のカード装着部と、前記第２のカード装着部に装着された第２のＩＣカードの半導体メモリに記録されている前記番組選択用データに基づいて番組表を作成し表示する表示部と、前記表示部に表示された番組表に基づいて選択された番組に対応する番組選択情報を前記放送受信機に送出するための操作部とを備えたリモートコントローラとを具備することを特徴とするデジタル放送受信装置。
【請求項５】
前記インターフェース手段は、取得要求に基づいて、前記放送受信機のセット調整データ、出荷調整データ及びユーザー調整データのいずれかを取得して、前記第１のカード装着部に装着された第２のＩＣカードの半導体メモリに記録することを特徴とする請求項４記載のデジタル放送受信装置。
【請求項６】
前記インターフェース手段は、取得要求に基づいて、前記再生手段により受信された前記デジタル放送データに含まれるデータ放送受信データを取得して、前記第１のカード装着部に装着された第２のＩＣカードの半導体メモリに記録することを特徴とする請求項４記載のデジタル放送受信装置。
【請求項７】
データ蓄積用の半導体メモリを内蔵し、契約情報が記録されたＩＣカードを、放送受信機の第１のカード装着部に装着する工程と、
前記第１のカード装着部に装着されたＩＣカードに記録されている契約情報に基づいて、前記放送受信機がデジタル放送データを受信して再生する工程と、
取得要求に基づいて、受信された前記デジタル放送データに含まれる番組選択用データを取得する工程と、
取得された前記番組選択用データを、前記第１のカード装着部に装着されたＩＣカードの半導体メモリに記録する工程と、
前記番組選択用データが半導体メモリに記録されたＩＣカードを前記第１のカード装着部から取り出し、前記放送受信機に操作情報を与えるリモートコントローラに設けられた第２のカード装着部に装着する工程と、
前記第２のカード装着部に装着されたＩＣカードの半導体メモリに記録されている前記番組選択用データに基づいて番組表を作成し、前記リモートコントローラに設けられた表示部に表示する工程と、
前記リモートコントローラの操作部を操作することにより、前記表示部に表示された番組表に基づいて選択された番組に対応する番組選択情報を前記放送受信機に送出する工程とを具備することを特徴とするデジタル放送受信装置の制御方法。
【請求項８】
前記取得要求に基づいて、受信された前記デジタル放送データに含まれる番組選択用データを取得する工程は、取得要求に基づいて、前記放送受信機のセット調整データ、出荷調整データ及びユーザー調整データのいずれかを取得することを特徴とする請求項７記載のデジタル放送受信装置の制御方法。
【請求項９】
前記取得要求に基づいて、受信された前記デジタル放送データに含まれる番組選択用データを取得する工程は、取得要求に基づいて、受信された前記デジタル放送データに含まれるデータ放送受信データを取得することを特徴とする請求項７記載のデジタル放送受信装置の制御方法。
【請求項１０】
契約情報が記録された第１のＩＣカードを、放送受信機の第１のカード装着部に装着する工程と、
前記第１のカード装着部に装着された第１のＩＣカードに記録されている契約情報に基づいて、前記放送受信機がデジタル放送データを受信して再生する工程と、
前記第１のＩＣカードを前記第１のカード装着部から取り出し、データ蓄積用の半導体メモリを内蔵した第２のＩＣカードを前記第１のカード装着部に装着する工程と、
取得要求に基づいて、受信された前記デジタル放送データに含まれる番組選択用データを取得する工程と、
取得された前記番組選択用データを、前記第１のカード装着部に装着された第２のＩＣカードの半導体メモリに記録する工程と、
前記番組選択用データが半導体メモリに記録された第２のＩＣカードを前記第１のカード装着部から取り出し、前記放送受信機に操作情報を与えるリモートコントローラに設けられた第２のカード装着部に装着する工程と、
前記第２のカード装着部に装着された第２のＩＣカードの半導体メモリに記録されている前記番組選択用データに基づいて番組表を作成し、前記リモートコントローラに設けられた表示部に表示する工程と、
前記リモートコントローラの操作部を操作することにより、前記表示部に表示された番組表に基づいて選択された番組に対応する番組選択情報を前記放送受信機に送出する工程とを具備することを特徴とするデジタル放送受信装置の制御方法。
【請求項１１】
前記取得要求に基づいて、受信された前記デジタル放送データに含まれる番組選択用データを取得する工程は、取得要求に基づいて、前記放送受信機のセット調整データ、出荷調整データ及びユーザー調整データのいずれかを取得することを特徴とする請求項１０記載のデジタル放送受信装置の制御方法。
【請求項１２】
前記取得要求に基づいて、受信された前記デジタル放送データに含まれる番組選択用データを取得する工程は、取得要求に基づいて、受信された前記デジタル放送データに含まれるデータ放送受信データを取得することを特徴とする請求項１０記載のデジタル放送受信装置の制御方法。
【発明の詳細な説明】
【０００１】
【発明の属する技術分野】
この発明は、限定受信システムが採用されたデジタル放送サービスに使用されるデジタル放送受信装置の改良に関する。
【０００２】
【従来の技術】
周知のように、例えばテレビジョン番組等をデジタル化して放送するデジタル放送サービスにおいては、所定の対価を支払って正規の受信契約を結んだ視聴者のみが、番組を正しく視聴することができるようにした、限定受信（ＣＡ：Ｃｏｎｄｉｔｉｏｎａｌ  Ａｃｃｅｓｓ）システムが採用されている。
【０００３】
この限定受信システムは、番組提供側が、テレビジョン番組を構成する映像信号や音声信号にスクランブル処理を施して送信するとともに、正規の受信契約を交わした視聴者に対して、その契約情報やスクランブルを解くためのデスクランブル鍵情報等が記憶されたＩＣ（Ｉｎｔｅｇｒａｔｅｄ  Ｃｉｒｃｕｉｔ）カードを配給する。
【０００４】
そして、このＩＣカードを配給された視聴者が、自己の所持するデジタル放送受信装置にＩＣカードを装着することにより、受信した映像信号や音声信号に対してデスクランブル処理を施すことができ、ここに、テレビジョン番組を正しく視聴することが可能となるものである。
【０００５】
【発明が解決しようとする課題】
しかしながら、このように限定受信システムが採用されたデジタル放送サービスに使用される従来のデジタル放送受信装置は、実際には、まだまだ開発途上にある段階であって、視聴者のニーズに十分に答え、より一層実用に適するものとなるように、種々の点で改良を施す余地が多く残されている。
【０００６】
例えば、現在では、特開平１０−２７１３５９号公報等に示されるように、デジタル放送受信機のリモートコントローラを双方向型に構成し、リモートコントローラとデジタル放送受信機との間で情報の転送を行なえるようにすることによって、番組選択の操作性を向上させるようにした技術が提案されているが、この提案も、やはり、まだ実質的な意味で十分に実用に適するレベルにまで改良されているとは言えないのが現状である。
【０００７】
そこで、この発明は上記事情を考慮してなされたもので、デスクランブル処理のためのＩＣカードとその制御系とに対して、限定受信システムの機能を損なうことなく、より多機能化を図るための有機的な改良を施し、簡易な構成でしかも視聴者にとって十分に実用に適するものとなる極めて良好なデジタル放送受信装置を提供することを目的とする。
【０００８】
【課題を解決するための手段】
この発明に係るデジタル放送受信装置は、データ蓄積用の半導体メモリを内蔵し、契約情報が記録されたＩＣカードと；ＩＣカードが装着される第１のカード装着部と、第１のカード装着部に装着されたＩＣカードに記録されている契約情報に基づいて、受信されたデジタル放送データを再生する再生手段と、取得要求に基づいて、再生手段により受信されたデジタル放送データに含まれる番組選択用データを取得し、第１のカード装着部に装着されたＩＣカードの半導体メモリに記録するインターフェース手段とを備えた放送受信機と；ＩＣカードが装着される第２のカード装着部と、第２のカード装着部に装着されたＩＣカードの半導体メモリに記録されている番組選択用データに基づいて番組表を作成し表示する表示部と、表示部に表示された番組表に基づいて選択された番組に対応する番組選択情報を放送受信機に送出するための操作部とを備えたリモートコントローラとを具備するものである。
【０００９】
また、この発明に係るデジタル放送受信装置は、契約情報が記録された第１のＩＣカードと；データ蓄積用の半導体メモリを内蔵した第２のＩＣカードと；第１及び第２のＩＣカードが選択的に装着される第１のカード装着部と、第１のカード装着部に装着された第１のＩＣカードに記録されている契約情報に基づいて、受信されたデジタル放送データを再生する再生手段と、取得要求に基づいて、再生手段により受信されたデジタル放送データに含まれる番組選択用データを取得し、第１のカード装着部に装着された第２のＩＣカードの半導体メモリに記録するインターフェース手段とを備えた放送受信機と；第２のＩＣカードが装着される第２のカード装着部と、第２のカード装着部に装着された第２のＩＣカードの半導体メモリに記録されている番組選択用データに基づいて番組表を作成し表示する表示部と、表示部に表示された番組表に基づいて選択された番組に対応する番組選択情報を放送受信機に送出するための操作部とを備えたリモートコントローラとを具備するものである。
【００１４】
【発明の実施の形態】
以下、この発明の第１の実施の形態について図面を参照して詳細に説明する。まず、図１は、この第１の実施の形態で説明するテレビジョン放送受信機１１の外観を示している。すなわち、このテレビジョン放送受信機１１には、例えばＣＲＴ（Ｃａｔｈｏｄｅ  Ｒａｙ  Ｔｕｂｅ）等でなる画面表示部１２及び各種の操作部１３が備えられているとともに、ＩＣカード１４が着脱可能なカード装着部１５が備えられている。
【００１５】
この場合、ＩＣカード１４は、前述したように、契約情報やデスクランブル鍵情報等が記録されているだけでなく、例えば図示しない半導体メモリ等も内蔵されて、データの蓄積も行なえるようになっている。そして、このＩＣカード１４は、カード装着部１５に装着された状態で、テレビジョン放送受信機１１とデータの授受が可能に構成されている。
【００１６】
また、このテレビジョン放送受信機１１には、視聴者が遠隔操作するためにワイヤレスのリモートコントローラ１６が用意されている。このリモートコントローラ１６には、液晶表示部１７及び各種の操作部１８が備えられるとともに、上記ＩＣカード１４が着脱可能なカード装着部１９が備えられている。なお、当然のことながら、ＩＣカード１４は、カード装着部１９に装着されて、リモートコントローラ１６とデータの授受が可能になされている。
【００１７】
ここで、図２は、このテレビジョン放送受信機１１の信号処理系の構成を示している。このテレビジョン放送受信機１１の信号処理系は、アナログテレビジョン放送を受信して信号処理を行なうアナログ放送受信機部２０と、デジタルテレビジョン放送を受信して信号処理を行なうデジタル放送受信機部２１との、２系統に大別されている。
【００１８】
このうち、アナログ放送受信機部２０では、アンテナ２２で受信したアナログテレビジョン放送電波をＴＶ（ｔｅｌｅｖｉｓｉｏｎ）チューナ部２３に供給して、所望のチャンネルのテレビジョン信号を抽出させる。そして、このＴＶチューナ部２３で抽出されたテレビジョン信号は、ＩＦ（Ｉｎｔｅｒｍｅｄｉａｔｅ  Ｆｒｅｑｕｅｎｃｙ）変換分離部２４に供給されて、中間周波信号に変換された後、音声信号と画像信号とに分離される。
【００１９】
このＩＦ変換分離部２４で分離された音声信号は、音声処理部２５に供給されて必要な復調処理等が施された後、セレクタ部２６によってスピーカ部２７に導かれることにより、音声の再生に供される。また、このＩＦ変換分離部２４で分離された画像信号は、画像処理部２８に供給されて必要な復調処理等が施された後、セレクタ部２６によってＣＲＴ部２９に導かれることにより、上記画面表示部１２における画像表示に供される。
【００２０】
そして、このアナログ放送受信機部２０は、上述したリモートコントローラ１６の操作部１８またはアナログ放送受信機部２０の操作部１３の操作情報を受けて、アナログテレビジョン放送用のマイクロコンピュータ３０が、各部を総括的に制御することにより、アナログテレビジョン放送の受信及び再生を行なっている。
【００２１】
また、上記デジタル放送受信機部２１では、受信されて周波数変換されたデジタルテレビジョン放送データが、入力端子３１に供給されている。この入力端子３１に供給されたデジタルテレビジョン放送データは、チューナ部３２に供給されて所望のチャンネルのテレビジョンデータが抽出される。
【００２２】
このチューナ部３２で抽出されたテレビジョンデータは、デモジュレータ部３３に供給されて必要な復調処理やエラー訂正処理等が施された後、通常の場合では、デスクランブル部３４により、カード装着部１５に装着されたＩＣカード１４に記録されているデスクランブル鍵情報に基づいて、デスクランブル処理が施される。
【００２３】
そして、このデスクランブル部３４でデスクランブル処理されたテレビジョンデータは、デマルチプレクサ部３５に供給されて音声データと画像データとに分離された後、ＭＰＥＧ（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ）２デコード部３６に供給されて伸張処理が施される。
【００２４】
このようにして、このＭＰＥＧ２デコード部３６で伸張処理が施された音声データは、セレクタ部２６によってスピーカ部２７に導かれることにより、音声の再生に供される。また、このＭＰＥＧ２デコード部３６で伸張処理が施された画像データは、セレクタ部２６によってＣＲＴ部２９に導かれることにより、上記画面表示部１２における画像表示に供される。
【００２５】
そして、このデジタル放送受信機部２１は、上述したリモートコントローラ１６の操作部１８またはアナログ放送受信機部２０の操作部１３の操作情報を受けて、デジタルテレビジョン放送用のマイクロコンピュータ３７が、各部を総括的に制御することにより、デジタルテレビジョン放送の受信及び再生を行なっている。
【００２６】
なお、ＩＣカード１４がテレビジョン放送受信機１１のカード装着部１５に装着された状態で、そこに記録されている契約情報やデスクランブル鍵情報等が、カードインターフェース部３８を介してマイクロコンピュータ３７に取り込まれるようになっている。
【００２７】
そして、マイクロコンピュータ３７は、取り込んだ契約情報に基づいてその番組提供側と正規の視聴契約が行なわれているか否かを判別し、視聴契約が有効であると判断した場合、取り込んだデスクランブル鍵情報をデスクランブル部３４に供給し、ここに、テレビジョンデータに対してデスクランブル処理を施すことができる。
【００２８】
また、デジタル放送受信機部２１のマイクロコンピュータ３７と、アナログ放送受信機部２０のマイクロコンピュータ３０とは、相互に接続されて情報の転送が可能になっている。
【００２９】
ここにおいて、デジタル放送受信機部２１のマイクロコンピュータ３７には、新たに多機能化インターフェース部３９が設けられている。この多機能化インターフェース部３９は、上記したように、データ蓄積用の半導体メモリを内蔵したＩＣカード１４が、カード装着部１５に装着された場合等に機能するもので、前述した限定受信システムの機能を何ら損なうことなく、ＩＣカード１４を用いたより一層の多機能化を図るために設けられている。
【００３０】
まず、図３は、この多機能化の第１の例を説明するために示すフローチャートである。この第１の例では、視聴者が、ステップＳ３ａで、テレビジョン放送受信機１１のカード装着部１５に、データ蓄積用の半導体メモリが内蔵されたＩＣカード１４を装着した後、ステップＳ３ｂで、操作部１８または１３を操作することにより、ＥＰＧ（Ｅｌｅｃｔｒｏｎｉｃ  Ｐｒｏｇｒａｍ  Ｇｕｉｄｅ）データの取得を要求した場合を示している。
【００３１】
ここで、ＥＰＧについて簡単に説明すると、テレビジョン番組のデジタル放送サービスでは、デジタル圧縮技術の進歩により、１つのネットワーク（番組提供者）で１００チャンネル以上を提供することができるため、視聴者が、多くの番組の中から自分の好みに合った番組を容易かつ迅速に検索できるようにすることが重要となる。
【００３２】
このため、現在では、ＥＰＧと称される電子番組ガイドを用いて番組を検索する手法が実現されている。この電子番組ガイドによる番組検索手段は、各番組毎に、それを構成する画像や音声等の情報に付随して送られてくるＥＰＧデータを利用して、デジタル放送受信機部２１側で、チャンネルと日時とをパラメータとした番組表を作成してテレビジョン画面に表示させるものである。
【００３３】
そして、視聴者は、ステップＳ３ｂでＥＰＧデータの取得を要求した後、ステップＳ３ｃで、受信可能な全てのチャンネルのＥＰＧデータを取得するか否かを判別し、全てのチャンネルのＥＰＧデータを取得しない場合（ＮＯ）、ステップＳ３ｄで、ＥＰＧデータを取得するチャンネルを選定する。
【００３４】
このステップＳ３ｄの後、または、ステップＳ３ｃで全てのチャンネルのＥＰＧデータの取得が要求された場合（ＹＥＳ）、視聴者は、ステップＳ３ｅで、操作部１８（１３）の操作によるＥＰＧデータの取得要求が終了したか否かを判別し、終了していない場合（ＮＯ）、ステップＳ３ｃの処理に戻される。
【００３５】
また、ステップＳ３ｅでＥＰＧデータの取得要求が終了した場合（ＹＥＳ）、マイクロコンピュータ３７は、ステップＳ３ｆで、“ＥＰＧデータ取得”のメッセージをテレビジョン放送受信機１１の画面表示部１２に表示させた後、ステップＳ３ｇで、マイクロコンピュータ３７に内蔵された半導体メモリ（図示せず）に、ＥＰＧデータを取得すべきチャンネルを指定するデータの書き込みを実行する。
【００３６】
そして、マイクロコンピュータ３７は、ステップＳ３ｈで、内蔵の半導体メモリに書き込まれたデータで指定されるチャンネルのＥＰＧデータを読み込み、そのＥＰＧデータを、ステップＳ３ｉで、カードインターフェース部３８を介してＩＣカード１４内の半導体メモリに書き込むように制御する。
【００３７】
その後、マイクロコンピュータ３７は、ステップＳ３ｊで、ＥＰＧデータを取得したチャンネルをテレビジョン放送受信機１１の画面表示部１２に表示させて視聴者に確認させる。すると、視聴者は、ステップＳ３ｋで、確認の内容がＯＫか否かを判別し、ＯＫでない場合（ＮＯ）、ステップＳ３ｃの処理に戻される。
【００３８】
また、ステップＳ３ｋで確認の内容がＯＫである場合（ＹＥＳ）、視聴者は、ステップＳ３ｌで、テレビジョン放送受信機１１のカード装着部１５からＩＣカード１４を取り出し、ステップＳ３ｍで、リモートコントローラ１６のカード装着部１９に装着する。
【００３９】
すると、リモートコントローラ１６は、ステップＳ３ｎで、ＩＣカード１４内の半導体メモリに書き込まれているＥＰＧデータを読み取り、ステップＳ３ｏで、そのＥＰＧデータにデコード処理を施して番組表を作成し、ステップＳ３ｐで、液晶表示部１７に表示させる。
【００４０】
これにより、視聴者は、ステップＳ３ｑで、液晶表示部１７に表示された番組表に基づいて番組の選定を行ない、ステップＳ３ｒで、リモートコントローラ１６の操作部１８を操作して、決定した番組の選局情報をテレビジョン放送受信機１１に送信し、終了（ステップＳ３ｓ）される。
【００４１】
すなわち、上記した第１の例では、まず、テレビジョン放送受信機１１にＩＣカード１４を装着し、このＩＣカード１４に内蔵されたデータ蓄積用の半導体メモリに、テレビジョン放送受信機１１で取得したＥＰＧデータの書き込みができるようにする。
【００４２】
その後、このＩＣカード１４をテレビジョン放送受信機１１から取り出してリモートコントローラ１６に装着し、リモートコントローラ１６でＩＣカード１４に記録されたＥＰＧデータに基づいて番組表を作成し、その液晶表示部１７に表示させる。
【００４３】
そして、視聴者が、リモートコントローラ１６の液晶表示部１７に表示された番組表に基づいて番組の選定を行ない、リモートコントローラ１６の操作部１８を操作して、選定した番組の選局情報をテレビジョン放送受信機１１に送信することにより、選局が行なえるようにしている。
要するに、契約情報やデスクランブル鍵情報等の記録されたＩＣカード１４にデータ蓄積用の半導体メモリを内蔵し、カード装着部１５はそのまま利用して、このＩＣカード１４をカード装着部１５に装着した状態で、ＩＣカード１４の半導体メモリにＥＰＧデータの書き込みを行なうことができるように、マイクロコンピュータ３７に多機能化インターフェース部３９を設けて制御するようにしたので、限定受新システムの機能を何ら損なうことなく、しかも簡易な構成で多機能化を図ることができる。
【００４４】
次に、図４は、多機能化の第２の例を説明するために示すフローチャートである。この第２の例では、視聴者が、ステップＳ４ａで、所定のデモンストレーションデータを作成し、ステップＳ４ｂで、そのデモンストレーションデータを、ＩＣカード１４の半導体メモリに書き込むことができる場合を示している。
【００４５】
この場合、視聴者は、ステップＳ４ｃで、デモンストレーションデータの記録されたＩＣカード１４を、テレビジョン放送受信機１１のカード装着部１５に装着し、ステップＳ４ｄで、操作部１８または１３を操作してデモンストレーションデータの再生を要求する。
【００４６】
すると、アナログ放送受信機部２０のマイクロコンピュータ３０が、ステップＳ４ｅで、ＩＣカード１４に記録されたデモンストレーションデータを再生するモードに切り替わる。その後、デジタル放送受信機部２１のマイクロコンピュータ３７と、その多機能化インターフェース部３９とが、ステップＳ４ｆ，Ｓ４ｇで、順次、ＩＣカード１４に記録されたデモンストレーションデータを再生するモードに切り替わる。
【００４７】
そして、マイクロコンピュータ３７は、ステップＳ４ｈで、カードインターフェース部３８を介してＩＣカード１４からデモンストレーションデータを読み取り、ステップＳ４ｉで、読み取ったデモンストレーションデータを内蔵された半導体メモリに順次書き込んで記録する。
【００４８】
その後、マイクロコンピュータ３７は、ステップＳ４ｊで、半導体メモリからデモンストレーションデータを読み出し、ステップＳ４ｋで、アナログ放送受信機部２０のマイクロコンピュータ３０に順次転送する。
【００４９】
すると、このマイクロコンピュータ３０は、ステップＳ４ｌで、画像と音声の両方の再生が要求されているか否かを判別し、両方の再生が要求されている場合（ＹＥＳ）、まず、ステップＳ４ｍで、画像処理部２８にデモンストレーションデータの画像データ処理を行なわせた後、ステップＳ４ｎで、音声処理部２５にデモンストレーションデータの音声データ処理を行なわせて、終了（ステップＳ４ｏ）される。
【００５０】
また、ステップＳ４ｌで画像と音声の両方の再生が要求されていない場合（ＮＯ）、マイクロコンピュータ３０は、ステップＳ４ｐで、画像の再生か音声の再生かいずれが要求されているかを判別する。そして、音声の再生が要求されている場合にはステップＳ４ｎの処理に移行され、画像の再生が要求されている場合にはステップＳ４ｍの処理に移行され、その後、終了（ステップＳ４ｏ）されるようになっている。
【００５１】
すなわち、上記した第２の例では、まず、視聴者の作成したデモンストレーションデータを、ＩＣカード１４の半導体メモリに書き込み、このＩＣカード１４をテレビジョン放送受信機１１に装着して、デモンストレーションデータの再生を行なえるようにしている。
【００５２】
この場合も、デモンストレーションデータが記録されたＩＣカード１４をカード装着部１５に装着して、デモンストレーションデータの再生を行なうことができるように、マイクロコンピュータ３７に多機能化インターフェース部３９を設けて制御するようにしたので、限定受新システムの機能を何ら損なうことなく、しかも簡易な構成で多機能化を図ることができる。
【００５３】
次に、図５は、多機能化の第３の例を説明するために示すフローチャートである。この第３の例では、ステップＳ５ａで、テレビジョン放送受信機１１のカード装着部１５にＩＣカード１４を装着した後、ステップＳ５ｂで、操作部１８または１３を操作して、テレビジョン放送受信機１１の各部の調整データの取得を要求した場合を示している。
【００５４】
すると、アナログ放送受信機部２０のマイクロコンピュータ３０は、ステップＳ５ｃで、テレビジョン放送受信機１１の各部の調整データを取得するモードに切り替えられる。そして、このマイクロコンピュータ３０は、ステップＳ５ｄで、画像処理部２８の調整データを読み込んだ後、ステップＳ５ｅで、音声処理部２５の調整データを読み込むように動作する。
【００５５】
その後、マイクロコンピュータ３０は、ステップＳ５ｆで、読み込んだ各調整データをデジタル放送受信機部２１のマイクロコンピュータ３７に転送し、ステップＳ５ｇで、このマイクロコンピュータ３７の半導体メモリに書き込み、ステップＳ５ｈで、半導体メモリから調整データを読み出しＩＣカード１４の半導体メモリに書き込んで、終了（ステップＳ５ｉ）される。
【００５６】
すなわち、上記した第３の例では、テレビジョン放送受信機１１に装着されたＩＣカード１４に、各部の調整データを記録させるようにしている。なお、調整データとしては、例えば、ＴＶセット調整データ、出荷調整データ及びユーザー調整データ等がある。
【００５７】
そして、このようにテレビジョン放送受信機１１の各部の調整データを、ＩＣカード１４に記録することができれば、例えば、そのＩＣカード１４を他のテレビジョン放送受信機に装着することにより、そのテレビジョン放送受信機を元のテレビジョン放送受信機１１と同じように容易に調整することができる。
【００５８】
この場合も、ＩＣカード１４をカード装着部１５に装着した状態で、その半導体メモリにテレビジョン放送受信機１１の各部の調整データを記録することができるように、マイクロコンピュータ３７に多機能化インターフェース部３９を設けて制御するようにしているので、限定受新システムの機能を何ら損なうことなく、しかも簡易な構成で多機能化を図ることができる。
【００５９】
次に、図６は、多機能化の第４の例を説明するために示すフローチャートである。この第４の例では、ステップＳ６ａで、テレビジョン放送受信機１１のカード装着部１５にＩＣカード１４を装着した後、ステップＳ６ｂで、操作部１８または１３を操作することにより、データ放送受信データの取得を要求した場合を示している。
【００６０】
このデータ放送受信データとは、前記デジタル放送受信機部２１のデマルチプレクサ部３５から出力され、マイクロコンピュータ３７に供給されるもので、例えば、限定受信ＣＡの共通情報ＥＣＭ（Ｅｎｔｉｔｌｅｍｅｎｔ  Ｃｏｎｔｒｏｌ  Ｍｅｓｓａｇｅ）、限定受信ＣＡの個別情報ＥＭＭ（Ｅｎｔｉｔｌｅｍｅｎｔ  Ｍａｎａｇｅｍｅｎｔ  Ｍｅｓｓａｇｅ）及び選局に必要な情報ＰＳＩ（Ｐｒｏｇｒａｍ  Ｓｐｅｃｉｆｉｃ  Ｉｎｆｏｒｍａｔｉｏｎ）等がある。
【００６１】
すなわち、視聴者がステップＳ６ｂでデータ放送受信データの取得を要求すると、アナログ放送受信機部２０のマイクロコンピュータ３０が、ステップＳ６ｃで、データ放送受信データを取得するモードに切り替えられた後、デジタル放送受信機部２１のマイクロコンピュータ３７が、ステップＳ６ｄで、データ放送受信データを取得するモードに切り替えられる。
【００６２】
そして、このマイクロコンピュータ３７は、ステップＳ６ｅで、デマルチプレクサ部３５から出力されるデータ放送受信データを取得し、ステップＳ６ｆで、取得したデータ放送受信データをＩＣカード１４内の半導体メモリに書き込んだ後、ステップＳ６ｇで、画面表示部１２に“書き込み終了”のメッセージを表示させて、終了（ステップＳ６ｈ）される。
【００６３】
すなわち、上記した第４の例では、テレビジョン放送受信機１１に装着されたＩＣカード１４に、データ放送受信データを記録させるようにしている。このように、データ放送受信データをＩＣカード１４に記録することができれば、例えば、そのＩＣカード１４を他のテレビジョン放送受信機に装着する等して、記録されたデータ放送受信データを容易に利用することが可能となる。
【００６４】
この場合も、ＩＣカード１４をカード装着部１５に装着した状態で、その半導体メモリにデータ放送受信データを記録することができるように、マイクロコンピュータ３７に多機能化インターフェース部３９を設けて制御するようにしたので、限定受新システムの機能を何ら損なうことなく、しかも簡易な構成で多機能化を図ることができる。
【００６５】
次に、この発明の第２の実施の形態について説明する。すなわち、先の第１の実施の形態では、アナログ放送受信機部２０とデジタル放送受信機部２１とを両方備えたテレビジョン放送受信機１１を対象とした場合について説明したが、この第２の実施の形態では、図７に示すような、デジタル放送受信機部２１のみを備えた、いわゆるデジタルセットトップボックス４０を対象とした場合について説明している。
【００６６】
このデジタルセットトップボックス４０には、液晶表示部４１及び各種の操作部４２が備えられているとともに、契約情報やデスクランブル鍵情報等の記録された従来のＩＣカード４３と、データ蓄積用の図示しない半導体メモリが内蔵されたＩＣカード４４とが、選択的に装着可能なカード装着部４５が備えられている。
【００６７】
図８は、このデジタルセットトップボックス４０における多機能化の一例を説明するために示すフローチャートである。まず、視聴者は、ステップＳ８ａで、デジタルセットトップボックス４０のカード装着部４５に、契約情報やデスクランブル鍵情報等の記録されたＩＣカード４３を装着した後、ステップＳ８ｂで、操作部４２を操作して所望の放送チャンネルを選択する。
【００６８】
すると、デジタルセットトップボックス４０は、ステップＳ８ｃで、ＩＣカード４３に記録された契約情報を読み取り、その契約が視聴者の選択して放送チャンネルに対して有効か否かを判別し、有効でない場合（ＮＯ）、ステップＳ８ｄで、受信不能として終了される。
【００６９】
また、ステップＳ８ｃで契約が有効であると判断された場合（ＹＥＳ）、デジタルセットトップボックス４０は、ステップＳ８ｅで、視聴者に対して、カード装着部４５からＩＣカード４３を取り出し、代わりにデータ蓄積用のＩＣカード４４をカード装着部４５に装着するように、液晶表示部４１により指示する。なお、この指示は、音声によって行なうようにすることもできる。
【００７０】
この指示に基づいて、視聴者が、ＩＣカード４３を取り出してデータ蓄積用のＩＣカード４４をカード装着部４５に装着すると、デジタルセットトップボックス４０は、ステップＳ８ｆで、装着されたＩＣカードがデータを蓄積するためのものであるか否かを判別する。
【００７１】
そして、装着されたＩＣカードがデータを蓄積するためのものでない場合（ＮＯ）、デジタルセットトップボックス４０は、ステップＳ８ｇで、視聴者に対して、装着されたＩＣカードに書き込みができない旨を、液晶表示部４１により表示する。
【００７２】
また、ステップＳ８ｆで、装着されたＩＣカードがデータを蓄積するためのものであると判断された場合（ＹＥＳ）、デジタルセットトップボックス４０は、ステップＳ８ｈで、先に選択した放送チャンネルの受信データに対して、先に装着されたＩＣカード４３から読み取ったデスクランブル鍵情報に基づいてデスクランブル処理を施した後、ＩＣカード４４に書き込んで記録する。
【００７３】
なお、上記ステップＳ８ｅにおいて、デジタルセットトップボックス４０は、ＩＣカード４３に代えてＩＣカード４４をカード装着部４５に装着する旨を指示する代わりに、強制的にＩＣカード４３をカード装着部４５から排出するとともに、液晶表示部４１にＩＣカード４４を装着する旨を指示させるようにしても良いものである。
【００７４】
上記のようにして受信データの記録されたＩＣカード４４は、例えば、図９に示すような、持ち運び可能な小型の携帯端末４６に装着される。すなわち、この携帯端末４６には、液晶表示部４７及び各種の操作部４８が備えられているとともに、データ蓄積用のＩＣカード４４が装着可能なカード装着部４９が備えられている。
【００７５】
そして、この携帯端末４６は、そのカード装着部４９にＩＣカード４４が装着され、操作部４８により再生処理が要求されると、ＩＣカード４４から受信データを読み取ってデコード処理し、液晶表示部４７に画像を表示させるとともに、図示しないスピーカにより音声を再生させる。
【００７６】
この第２の実施の形態では、まず、デジタルセットトップボックス４０に、契約情報やデスクランブル鍵情報等の記録されたＩＣカード４３を装着して、契約が有効であるか否かを判別する。そして、契約が有効であれば、ＩＣカード４３に代えてデータ蓄積用のＩＣカード４４を装着させ、受信データをＩＣカード４４に記録させる。
【００７７】
その後、受信データの記録されたＩＣカード４４をデジタルセットトップボックス４０から取り出し、このＩＣカード４４を装着して受信データを再生することができるように設計された携帯端末４６に装着することにより、例えば屋外のように、デジタルセットトップボックス４０がない場所でも、放送番組を楽しむことができるようにしている。
【００７８】
この場合も、ＩＣカード４３をカード装着部４５に装着した状態で、その契約情報の判別を行ない、その後、ＩＣカード４４をカード装着部４５に装着した状態で、その半導体メモリに受信データを記録することができるように、デジタル放送受信機部２１のマイクロコンピュータ３７に多機能化インターフェース部３９を設けて制御するようにしているので、限定受新システムの機能を何ら損なうことなく、しかも簡易な構成で多機能化を図ることができる。
【００７９】
また、この第２の実施の形態では、受信データを記録するために、半導体メモリを内蔵したデータ蓄積用のＩＣカード４４を用いるようにしたが、これに限らず、例えば、デジタルセットトップボックス４０のカード装着部４５に、テープやディスク等を記録媒体とする記録再生装置に接続されたカード状アダプタを装着し、このカード状アダプタを介して、受信データを記録媒体に記録するようにしても良いものである。
【００８０】
なお、この発明は上記した各実施の形態に限定されるものではなく、この外その要旨を逸脱しない範囲で種々変形して実施することができる。
【００８１】
【発明の効果】
以上詳述したようにこの発明によれば、デスクランブル処理のためのＩＣカードとその制御系とに対して、限定受信システムの機能を損なうことなく、より多機能化を図るための有機的な改良を施し、簡易な構成でしかも視聴者にとって十分に実用に適するものとなる極めて良好なデジタル放送受信装置を提供することができる。
【図面の簡単な説明】
【図１】この発明に係るデジタル放送受信装置の第１の実施の形態を示すもので、テレビジョン放送受信機の外観を説明するために示す斜視図。
【図２】同第１の実施の形態におけるテレビジョン放送受信機の信号処理系を説明するために示すブロック構成図。
【図３】同第１の実施の形態における動作の第１の例を説明するために示すフローチャート。
【図４】同第１の実施の形態における動作の第２の例を説明するために示すフローチャート。
【図５】同第１の実施の形態における動作の第３の例を説明するために示すフローチャート。
【図６】同第１の実施の形態における動作の第４の例を説明するために示すフローチャート。
【図７】この発明に係るデジタル放送受信装置の第２の実施の形態を示すもので、デジタルセットトップボックスを説明するために示す斜視図。
【図８】同第２の実施の形態における動作の一例を説明するために示すフローチャート。
【図９】同第２の実施の形態における携帯端末を説明するために示す斜視図。
【符号の説明】
１１…テレビジョン放送受信機、
１２…画面表示部、
１３…操作部、
１４…ＩＣカード、
１５…カード装着部、
１６…リモートコントローラ、
１７…液晶表示部、
１８…操作部、
１９…カード装着部、
２０…アナログ放送受信機部、
２１…デジタル放送受信機部、
２２…アンテナ、
２３…ＴＶチューナ部、
２４…ＩＦ変換分離部、
２５…音声処理部、
２６…セレクタ、
２７…スピーカ、
２８…画像処理部、
２９…ＣＲＴ、
３０…マイクロコンピュータ、
３１…入力端子、
３２…チューナ部、
３３…デモジュレータ部、
３４…デスクランブル部、
３５…デマルチプレクサ部、
３６…ＭＰＥＧ２デコード部、
３７…マイクロコンピュータ、
３８…カードインターフェース部、
３９…多機能化インターフェース部、
４０…デジタルセットトップボックス、
４１…液晶表示部、
４２…操作部、
４３，４４…ＩＣカード、
４５…カード装着部、
４６…携帯端末、
４７…液晶表示部、
４８…操作部、
４９…カード装着部。
【図１】
0003579311.tif 000002
【図２】
0003579311.tif 000003
【図３】
0003579311.tif 000004
【図４】
0003579311.tif 000005
【図５】
0003579311.tif 000006
【図６】
0003579311.tif 000007
【図７】
0003579311.tif 000008
【図８】
0003579311.tif 000009
【図９】
0003579311.tif 000010